(57)【要約】【課題】ネットワークエリア間の通信を担うネットワーク装置から音声通信用帯域情報を通話接続サーバに通知することにより、回線の使用状態に変化があった後においても適切に音声通信呼量を管理することを実現する。【解決手段】他のネットワーク装置に接続するいずれかの回線の使用状態が変化した場合に、ネットワークエリア間の帯域情報を、変化後の回線使用状態にもとづき計算しなおし、帯域情報をサーバに送信するネットワーク装置と、音声通信接続要求に応じて、データベースにおける対応する帯域情報を参照し、当該音声通信接続要求から算出される必要帯域と比較して、正常通信が可能かどうかの判定結果にもとづき接続可否を判断し、その判断結果を端末に返信し、かつ、装置から送信されてきた帯域情報を前記データベースに更新する通信接続サーバと、これらを接続する回線とを有する音声通信帯域管理システム。【選択図】      図１
2005006062.tif 000002
【特許請求の範囲】
【請求項１】
音声情報をパケット化して伝達するネットワーク上で、端末間の音声通信接続を行う通話接続サーバに、ネットワークエリア間で使用可能な音声用帯域を予め設定することで通信呼量を管理する音声通信帯域管理システムであって、
前記端末から送信されてきた音声通信接続要求を前記通話接続サーバに送信し、前記通信接続サーバからの返信内容に応じて宛先端末への呼接続と通話の開始を行い、かつ、他のネットワーク装置に接続するいずれかの回線の使用状態が変化した場合に、前記ネットワークエリア間の帯域情報を、変化後の回線使用状態にもとづいて計算しなおし、内蔵する音声通信帯域情報データベースを更新して、変化後の帯域情報を前記通話接続サーバに送信する二以上のネットワーク装置と、
前記音声通信接続要求に応じて、内蔵するエリア間帯域情報データベースにおける対応する帯域情報を参照し、当該音声通信接続要求から算出される必要帯域と比較して、正常通信が可能かどうかを判定し、この判定結果にもとづき接続可否を判断して、その判断結果を端末に返信し、かつ、前記ネットワーク装置から送信されてきた前記変化後の帯域情報を前記エリア間帯域情報データベースに更新する前記通信接続サーバと、
前記二以上のネットワーク装置及び前記通信接続サーバ間を接続する二以上の回線と、を有することを特徴とする音声通信帯域管理システム。
【請求項２】
音声情報をパケット化して伝達するネットワーク上で、端末間の音声通信接続を行う通話接続サーバに、ネットワークエリア間で使用可能な音声用帯域を予め設定することで通信呼量を管理する音声通信帯域管理方法であって、
ネットワーク装置が、前記端末から送信されてきた音声通信接続要求を前記通話接続サーバに送信し、
前記通信接続サーバが、前記音声通信接続要求に応じて、内蔵するエリア間帯域情報データベースにおける対応する帯域情報を参照し、当該音声通信接続要求から算出される必要帯域と比較して、正常通信が可能かどうかを判定し、この判定結果にもとづき接続可否を判断して、その判断結果を端末に返信し、
ネットワーク装置が、前記通信接続サーバからの返信内容に応じて宛先端末への呼接続と通話の開始を行い、かつ、他のネットワーク装置に接続するいずれかの回線の使用状態が変化した場合に、前記ネットワークエリア間の帯域情報を、変化後の回線使用状態にもとづいて計算しなおし、内蔵する音声通信帯域情報データベースを更新して、変化後の帯域情報を前記通話接続サーバに送信し、
通信接続サーバが、前記ネットワーク装置から送信されてきた前記変化後の帯域情報を内蔵するエリア間帯域情報データベースに更新して、以後の音声通信接続要求に応じ、更新したエリア間帯域情報データベースにおける帯域情報を参照することを特徴とする音声通信帯域管理方法。
【請求項３】
音声情報をパケット化して伝達するネットワーク上で、ネットワークエリア間で使用可能な音声用帯域情報を保有し、端末間の音声通信接続とその通信呼量を管理する通信接続サーバであって、
ネットワークに存在するネットワークエリア間毎に、音声通信に使用できる帯域情報を保持するエリア間帯域情報データベースと、
ネットワーク装置が、他のネットワーク装置に接続するいずれかの回線の使用状態が変化した場合に、前記ネットワークエリア間の帯域情報を、変化後の回線使用状態にもとづき計算しなおし送信してきたパケットから変化後の帯域情報を抽出し、前記エリア間帯域情報データベースに更新する帯域情報受信処理部と、端末からの呼接続要求を受けた際に、端末から要求された種別の通信が占有する帯域を計算するとともに、当該帯域情報と、前記エリア間帯域情報データベースにおける対応する帯域情報を比較して、接続を許可することが可能か否かを判定する接続可否判定処理部と、を有することを特徴とする通信接続サーバ。
【請求項４】
音声情報をパケット化して伝達するネットワーク上で、端末間の音声通信接続を行う通話接続サーバに、ネットワーク回線の使用状態の変化後の回線使用状態にもとづく帯域情報を送信するネットワーク装置であって、
当該ネットワーク装置が認識する各ネットワークエリア間の回線の帯域情報を保持する音声通信帯域情報データベースと、
当該ネットワーク装置に接続される各回線の使用状態を監視し、使用状態が変化した場合に、前記ネットワークエリア間の帯域情報を、変化後の回線使用状態にもとづき計算しなおし、帯域変更情報送信処理部に対して、変化後の帯域情報を、前記音声通信帯域情報データベースに更新するとともに、通話接続サーバへ送信するように指示する装置間回線使用状態管理部と、
前記装置間回線使用状態管理部の指示を受けて、前記変化後の帯域情報を、前記音声通信帯域情報データベースに更新するとともに、前記通話接続サーバに送信する帯域変更情報送信処理部と、を有することを特徴とするネットワーク装置。
【請求項５】
音声情報をパケット化して伝達するネットワーク上で、通信接続サーバに、ネットワークエリア間で使用可能な音声用帯域情報を保有させ、端末間の音声通信接続とその通信呼量を管理させる音声通信帯域管理プログラムであって、
前記通信接続サーバに、
前記端末からネットワーク装置を介して送信されてきた音声通信接続要求に応じて、内蔵するエリア間帯域情報データベースにおける対応する帯域情報を参照させ、当該音声通信接続要求から算出される必要帯域と比較させて、正常通信が可能かどうかを判定させ、この判定結果にもとづき接続可否を判断させて、その判断結果を端末へ返信させ、かつ、前記ネットワーク装置から送信されてきた回線使用状態変化後にネットワーク装置によって計算しなおされた帯域情報を、前記エリア間帯域情報データベースへ更新させることを実行させるための音声通信帯域管理プログラム。
【請求項６】
音声情報をパケット化して伝達するネットワーク上で、ネットワーク装置に、ネットワーク回線の使用状態の変化後の回線使用状態にもとづく帯域情報を、端末間の音声通信接続を行う通話接続サーバへ送信させる音声通信帯域管理プログラムであって、
前記ネットワーク装置に、
前記端末から送信されてきた音声通信接続要求を前記通話接続サーバに送信させ、前記通信接続サーバからの返信内容に応じて宛先端末への呼接続と通話の開始を実行させ、かつ、他のネットワーク装置に接続するいずれかの回線の使用状態が変化した場合に、ネットワークエリア間の帯域情報を、変化後の回線使用状態にもとづき計算させ、内蔵する音声通信帯域情報データベースを更新させて、前記変化後の帯域情報を前記通話接続サーバへ送信させることを実行させるための音声通信帯域管理プログラム。
【発明の詳細な説明】
【０００１】
【発明の属する技術分野】
本発明は、音声情報をパケット化して伝達するネットワーク上で、端末間の音声通信接続を行う通話接続サーバに、ネットワークエリア間で使用可能な音声用帯域を予め設定することで通信呼量の規制を行っている音声通信帯域管理システムにおいて、ネットワークエリア間の通信を担うネットワーク装置から音声通信用帯域情報を通話接続サーバに通知し、適切な音声通信呼量の管理を実現する音声通信帯域管理システム、方法、通信接続サーバ、ネットワーク装置、及び音声通信帯域管理プログラムに関する。
【０００２】
【従来の技術】
音声情報等をパケット化して伝達するネットワーク上で、端末間の音声通信接続を行う通話接続サーバなどが、音声通信接続の可否を判定する従来技術としては、ネットワークエリア間で使用可能な音声用帯域を通話接続サーバなどに予め設定することで、回線毎の最大音声通信呼量の算出と追加接続の可否判定を行う音声通信呼量および帯域の管理方式などがある（例えば、特許文献１参照。）。
【０００３】
【特許文献１】
特開２００１−２８５３４２号公報
【０００４】
【発明が解決しようとする課題】
しかしながら、このような従来の音声通信帯域管理システムには、回線障害などによりネットワークエリア間で使用される回線の切り替えが発生し、ネットワークエリア間の帯域が大幅に減少した場合であっても、通話接続サーバは実際に使用できる帯域を超える既設定帯域までの音声通信接続を許可してしまうため、通話接続されるが、不足帯域分の音声通信パケットが廃棄されて、正常通話が保証できない状態に陥る場合があるという問題があった。
【０００５】
本発明は、上記の事情にかんがみなされたものであり、音声情報をパケット化して伝達するネットワーク上で、端末間の音声通信接続を行う通話接続サーバに、ネットワークエリア間で使用可能な音声用帯域を予め設定することで通信呼量の規制を行っている音声通信帯域管理システムにおいて、ネットワークエリア間の通信を担うネットワーク装置から音声通信用帯域情報を通話接続サーバに通知し、適切な音声通信呼量の管理を実現する音声通信帯域管理システム、方法、通信接続サーバ、ネットワーク装置、及び音声通信帯域管理プログラムの提供を目的とする。
【０００６】
【課題を解決するための手段】
上記目的を達成するため、本発明の請求項１記載の音声通信帯域管理システムは、音声情報をパケット化して伝達するネットワーク上で、端末間の音声通信接続を行う通話接続サーバに、ネットワークエリア間で使用可能な音声用帯域を予め設定することで通信呼量を管理する音声通信帯域管理システムであって、端末から送信されてきた音声通信接続要求を通話接続サーバに送信し、通信接続サーバからの返信内容に応じて宛先端末への呼接続と通話の開始を行い、かつ、他のネットワーク装置に接続するいずれかの回線の使用状態が変化した場合に、ネットワークエリア間の帯域情報を、変化後の回線使用状態にもとづいて計算しなおし、内蔵する音声通信帯域情報データベースを更新して、変化後の帯域情報を通話接続サーバに送信する二以上のネットワーク装置と、音声通信接続要求に応じて、内蔵するエリア間帯域情報データベースにおける対応する帯域情報を参照し、当該音声通信接続要求から算出される必要帯域と比較して、正常通信が可能かどうかを判定し、この判定結果にもとづき接続可否を判断して、その判断結果を端末に返信し、かつ、ネットワーク装置から送信されてきた変化後の帯域情報をエリア間帯域情報データベースに更新する通信接続サーバと、二以上のネットワーク装置及び通信接続サーバ間を接続する二以上の回線とを有する構成としてある。
【０００７】
また、本発明の請求項２記載の音声通信帯域管理方法は、音声情報をパケット化して伝達するネットワーク上で、端末間の音声通信接続を行う通話接続サーバに、ネットワークエリア間で使用可能な音声用帯域を予め設定することで通信呼量を管理する音声通信帯域管理方法であって、ネットワーク装置が、端末から送信されてきた音声通信接続要求を通話接続サーバに送信し、通信接続サーバが、音声通信接続要求に応じて、内蔵するエリア間帯域情報データベースにおける対応する帯域情報を参照し、当該音声通信接続要求から算出される必要帯域と比較して、正常通信が可能かどうかを判定し、この判定結果にもとづき接続可否を判断して、その判断結果を端末に返信し、ネットワーク装置が、通信接続サーバからの返信内容に応じて宛先端末への呼接続と通話の開始を行い、かつ、他のネットワーク装置に接続するいずれかの回線の使用状態が変化した場合に、ネットワークエリア間の帯域情報を、変化後の回線使用状態にもとづいて計算しなおし、内蔵する音声通信帯域情報データベースを更新して、変化後の帯域情報を通話接続サーバに送信し、通信接続サーバが、ネットワーク装置から送信されてきた変化後の帯域情報を内蔵するエリア間帯域情報データベースに更新して、以後の音声通信接続要求に応じ、更新したエリア間帯域情報データベースにおける帯域情報を参照する方法としてある。
【０００８】
また、本発明の請求項３記載の通信接続サーバは、音声情報をパケット化して伝達するネットワーク上で、ネットワークエリア間で使用可能な音声用帯域情報を保有し、端末間の音声通信接続とその通信呼量を管理する通信接続サーバであって、ネットワークに存在するネットワークエリア間毎に、音声通信に使用できる帯域情報を保持するエリア間帯域情報データベースと、ネットワーク装置が、他のネットワーク装置に接続するいずれかの回線の使用状態が変化した場合に、ネットワークエリア間の帯域情報を、変化後の回線使用状態にもとづき計算しなおし送信してきたパケットから変化後の帯域情報を抽出し、エリア間帯域情報データベースに更新する帯域情報受信処理部と、端末からの呼接続要求を受けた際に、端末から要求された種別の通信が占有する帯域を計算するとともに、当該帯域情報と、エリア間帯域情報データベースにおける対応する帯域情報を比較して、接続を許可することが可能か否かを判定する接続可否判定処理部とを有する構成としてある。
【０００９】
また、本発明の請求項４記載のネットワーク装置は、音声情報をパケット化して伝達するネットワーク上で、端末間の音声通信接続を行う通話接続サーバに、ネットワーク回線の使用状態の変化後の回線使用状態にもとづく帯域情報を送信するネットワーク装置であって、当該ネットワーク装置が認識する各ネットワークエリア間の回線の帯域情報を保持する音声通信帯域情報データベースと、当該ネットワーク装置に接続される各回線の使用状態を監視し、使用状態が変化した場合に、ネットワークエリア間の帯域情報を、変化後の回線使用状態にもとづき計算しなおし、帯域変更情報送信処理部に対して、変化後の帯域情報を、音声通信帯域情報データベースに更新するとともに、通話接続サーバへ送信するように指示する装置間回線使用状態管理部と、装置間回線使用状態管理部の指示を受けて、変化後の帯域情報を、音声通信帯域情報データベースに更新するとともに、通話接続サーバに送信する帯域変更情報送信処理部とを有する構成としてある。
【００１０】
また、本発明の請求項５記載の音声通信帯域管理プログラムは、音声情報をパケット化して伝達するネットワーク上で、通信接続サーバに、ネットワークエリア間で使用可能な音声用帯域情報を保有させ、端末間の音声通信接続とその通信呼量を管理させる音声通信帯域管理プログラムであって、通信接続サーバに、端末からネットワーク装置を介して送信されてきた音声通信接続要求に応じて、内蔵するエリア間帯域情報データベースにおける対応する帯域情報を参照させ、当該音声通信接続要求から算出される必要帯域と比較させて、正常通信が可能かどうかを判定させ、この判定結果にもとづき接続可否を判断させて、その判断結果を端末へ返信させ、かつ、ネットワーク装置から送信されてきた回線使用状態変化後にネットワーク装置によって計算しなおされた帯域情報を、エリア間帯域情報データベースへ更新させる構成としてある。
【００１１】
また、本発明の請求項６記載の音声通信帯域管理プログラムは、音声情報をパケット化して伝達するネットワーク上で、ネットワーク装置に、ネットワーク回線の使用状態の変化後の回線使用状態にもとづく帯域情報を、端末間の音声通信接続を行う通話接続サーバへ送信させる音声通信帯域管理プログラムであって、ネットワーク装置に、端末から送信されてきた音声通信接続要求を通話接続サーバに送信させ、通信接続サーバからの返信内容に応じて宛先端末への呼接続と通話の開始を実行させ、かつ、他のネットワーク装置に接続するいずれかの回線の使用状態が変化した場合に、ネットワークエリア間の帯域情報を、変化後の回線使用状態にもとづき計算させ、内蔵する音声通信帯域情報データベースを更新させて、変化後の帯域情報を通話接続サーバへ送信させる構成としてある。
【００１２】
音声通信帯域管理システム、通信接続サーバ、ネットワーク装置、及び音声通信帯域管理プログラムを以上のような構成とし、音声通信帯域管理方法を上記のような方法とすれば、通話接続サーバにネットワークエリア間で使用可能な音声用帯域を予め設定してあり、使用回線の切り替えによりネットワークエリア間帯域が動的に変化するネットワークの場合でも、ネットワーク装置から変化後の音声用帯域情報を通話接続サーバに通知することによって、更新された帯域情報に基づき正常通話が保証される呼量の範囲内に限って音声通信接続を許可するという、適切な音声通信呼量の管理を実現することが可能となる。
【００１３】
【発明の実施の形態】
以下、本発明の実施形態につき、図面を参照して説明する。
まず、本発明の実施形態の構成について、図１を参照して説明する。同図は、本実施形態の音声通信帯域管理システムの構成を示すブロック図である。
通話接続サーバ１は、パケット・ネットワークを介した端末間の音声通話呼を接続および管理する情報処理装置である。図１に示す音声通信帯域管理システムにおいて、通信接続サーバ１は、１台のみで構成されているが、音声通信帯域管理システムに二以上の通信接続サーバ１をもたせる構成とすることもできる。
また、同図においては、通話接続サーバ１はネットワーク装置２に接続されているが、その接続位置は特に制限されるものではなく、例えばネットワーク装置４に接続することも可能である。
【００１４】
ネットワーク装置２、ネットワーク装置３、ネットワーク装置４は、２つのネットワークエリアであるエリア１３およびエリア１４を接続する通信網を構成する。
これらのネットワーク装置は、複数のネットワークエリアや回線をパケット交換処理にて接続する装置で、一般的にはＩＰ（Ｉｎｔｅｒｎｅｔ  Ｐｒｏｔｏｃｏｌ）ルータやＬＡＮスイッチで構成されるが、特にこれに限定するものではない。
【００１５】
回線５、回線６、回線７および回線８は、ネットワーク装置２、ネットワーク装置３とネットワーク装置４を、図１のように接続する通信回線であり、特に回線７と回線８は共にネットワーク装置３とネットワーク装置４を接続するための回線である。
これらの回線は、データパケットを決められた方路に伝送する役割を持つもので、イーサネット（登録商標）回線やデジタル専用線、ＩＳＤＮ回線、フレームリレー回線などで構成される。
【００１６】
端末９、端末１０、端末１１および端末１２は音声通信を行うために使われる機器であり、例えば、携帯電話、ＰＨＳ、ＰＤＡ、パーソナルコンピュータ等を用いることができる。これらの端末は、本音声通信帯域管理システムのネットワークを介して相互に音声通話を行うことができるものである。同図に示すように、端末９と端末１０はエリア１３に属し、端末１１と端末１２はエリア１４に属するものとしている。
エリア１３およびエリア１４は、それぞれある管理ポリシーに基づき区割りされた本音声通信帯域管理システムのネットワークの一部を示すものであり、例としてはＩＰサブネット等を挙げることができる。
【００１７】
次に、図２を参照して、本実施形態の音声通信帯域管理システムにおける通信接続サーバの構成について、さらに詳細に説明する。同図は、本実施形態の音声通信帯域管理システムにおける通話接続サーバ１の音声通信帯域管理部の構成を示すブロック図である。
図２において、音声通信帯域管理部１−１は、音声通信帯域管理をつかさどる通話接続サーバ１のサブシステムである。
【００１８】
設定記憶手段１−２に保有されるエリア間帯域情報データベース１−３は、本音声通信帯域管理システムのネットワークに存在するネットワークエリア間毎に、音声通信に使用できる帯域情報を保持するデータベースである。
データベースＩ／Ｏ処理部１−４は、エリア間帯域情報データベース１−３に対する書き込みと読み出しを一括管理する。
【００１９】
帯域情報受信処理部１−５は、ネットワーク装置から送信されてきたデータパケットを解析し、エリア間の音声通信用帯域情報を抽出した後、エリア間帯域情報データベース１−３にその情報を書き込む処理を行う。
ここで、ネットワーク装置から帯域情報受信処理部１−５への帯域情報の通知は、専用の帯域通知用パケットを用いて行われるが、上述のデータパケットの解析とは、その通信用パケットに含まれるデータを抽出するために、このパケットについて予め定義されたヘッダやペイロード等のフォーマットを解釈することを意味している。
【００２０】
接続可否判定処理部１−６は、端末からの呼接続要求を受けた際に、端末から要求された種別の通信が占有する帯域を計算するとともに、エリア間帯域情報データベース１−３の該当情報を参照することで追加接続を許可することが可能か否かを判定する。
ネットワークインタフェース部１−７は、ネットワークからのデータパケットを受信し、関連するパケット情報を帯域情報受信処理部１−５もしくは接続可否判定処理部１−６に受け渡す役割を持つ。
【００２１】
次に、図３を参照して、本実施形態の音声通信帯域管理システムにおけるネットワーク装置の構成について、さらに詳細に説明する。同図は、本実施形態の音声通信帯域管理システムにおけるネットワーク装置３の音声通信帯域管理部の構成を示すブロック図である。
図３において、音声通信帯域管理部３−１は、パケット交換処理をつかさどるネットワーク装置３のサブシステムである。
【００２２】
設定記憶手段３−２に保有される音声通信帯域情報データベース３−３は、本ネットワーク装置が認識する各ネットワークエリア間の回線帯域情報を保持するデータベースである。
データベースＩ／Ｏ処理部３−４は、音声通信帯域情報データベース３−３に対する書き込みと読み出しを一括管理する。
【００２３】
帯域変更情報送信処理部３−５は、装置間回線使用状態管理部３−６の指示を受けて、指定されたエリア間の音声通信帯域情報を音声通信帯域情報データベース３−３からデータベースＩ／Ｏ処理部３−４を介して読み出すとともに、ネットワークインタフェース部３−７を経由して、通話接続サーバ１に帯域更新情報を送信する。
装置間回線使用状態管理部３−６は、ネットワークインタフェース部３−７に接続される回線５、回線７、回線８などの回線の使用状態を監視する。そして、使用状態が変化した場合に、帯域変更情報送信処理部３−５に対し、帯域更新情報を通話接続サーバ１へ送信するように指示する。
【００２４】
ネットワークインタフェース部３−７は、回線５、回線７および回線８などのネットワーク回線を収容する役割を持ち、装置間回線使用状態管理部３−６からの指示を受けて各回線の状態を監視する。また、帯域変更情報送信処理部３−５から帯域更新情報を入力してデータパケット化し、これをネットワーク回線に出力する。
【００２５】
なお、ここでは図３を用いてネットワーク装置３について説明したが、他のネットワーク装置についても同様の構成とすることができる。
また、通話接続サーバ１における端末間の音声通話呼を接続および管理する手段や、ネットワーク装置における音声パケットを交換処理する手段、端末において音声をパケット化し、またパケット情報から音声を再現する手段等は、当業者にとって良く知られており、また本発明とは直接関係しないため、その詳細な説明は省略する。
【００２６】
次に、本実施形態の音声通信帯域管理システムにおける処理手順の概要について、図１〜図３を参照して説明する。
本実施形態の音声通信帯域管理システムにおいて、ある端末から他の端末への音声通信を行う際には、まず通話接続サーバ１に対して音声通信接続要求を送信し、通話接続サーバ１からの返信内容に応じて宛先端末への呼接続と通話の開始を行う。
【００２７】
ネットワーク装置３などのネットワーク装置や、回線５などのネットワーク回線は、端末から通話接続サーバ１へ送出された上記音声通信接続要求などのデータパケットの送受信と、音声通信接続後に、端末間の音声通話パケットの送受信を行う。
通話接続サーバ１は、端末から音声通信接続要求が送信されてくると、内蔵するエリア間帯域情報データベース１−３の情報を参照して接続可否を判断し、結果を端末に返信する。
【００２８】
ここで、ネットワーク装置３などのネットワーク装置は、他のネットワーク装置に接続するいずれかの回線の使用状態が変化した場合に、各ネットワーク装置が到達可能と認識するネットワークエリア間の帯域情報を、変更後の回線使用状態にもとづいて計算しなおし、帯域変更情報送信処理部３−５及びデータベースＩ／Ｏ処理部３−４を介して音声通信帯域情報データベース３−３を更新する。
このネットワークエリア間の帯域情報の計算方法としては、種々の方法があるが、例えば、各々の回線ごとに予め帯域情報を設定しておき、使用する回線の累積値をエリア間の帯域情報として算出する方法とすることができる。
また、この際、帯域変更情報送信処理部３−５は、同時にその変化後の帯域情報（帯域更新情報）を通話接続サーバ１に送信する。
一方、帯域更新情報を受けとった通話接続サーバ１は、この帯域更新情報の内容に基づき内蔵するエリア間帯域情報データベース１−３を更新する。
【００２９】
次に、通信接続サーバ１の音声通信帯域管理部１−１における処理手順について、図２を参照してさらに詳細に説明する。
まず、音声通信帯域管理部１−１が、ネットワークインタフェース部１−７にて端末からの音声通信接続要求を受信すると、この情報は接続可否判定処理部１−６に渡される。
【００３０】
接続可否判定処理部１−６は、データベースＩ／Ｏ処理部１−４を介して、エリア間帯域情報データベース１−３の内容を参照し、上記の音声通信接続要求に該当するエリア間帯域情報を読み出す。
同時に、接続可否判定処理部１−６では、音声通信接続要求にて要求される通信の種別から必要となる音声通信用帯域を算出し、これをエリア間帯域情報データベース１−３から読み出した最新の値と比較して、読み出した値の方が大きく、正常通信を保証する許容範囲だと判断できた場合にのみ、音声通信呼接続可能の回答を行う。
ここで、通信の種別には、例えば、６４ｋｂｐｓ  ＰＣＭ非圧縮通信，３２ｋｂｐｓ  圧縮通信，１６ｋｂｐｓ  圧縮通信，８ｋｂｐｓ  圧縮通信等の種別があり、そのデータ圧縮率の差により必要となる帯域が異なっている。したがって、この通信種別ごとに必要な帯域情報を保有するテーブルを通信接続サーバ１に保有させることにより、接続可否判定処理部１−６は、これを参照することなどによって、上述の音声通信用帯域の算出を行うことができる。
【００３１】
一方、ネットワークインタフェース部１−７にてネットワーク装置からの帯域更新情報を受信した場合には、その情報は帯域情報受信処理部１−５に渡される。
帯域情報受信処理部１−５は、ネットワーク装置から送信されてきたデータパケットを解析し、エリア間の音声通信用帯域情報を抽出した後、エリア間帯域情報データベース１−３にその情報を書き込む処理を行う。
こうすることで、エリア間帯域情報データベース１−３は、常に最新の帯域情報を保持することが可能となる。
【００３２】
次に、ネットワーク装置３の音声通信帯域管理部３−１における処理手順について、図３を参照してさらに詳細に説明する。
装置間回線使用状態管理部３−６が、ネットワークインタフェース部３−７に接続される回線５、回線７、回線８などの回線の使用状態監視において、使用状態の変化を検出した場合には、状態が変化した回線から到達可能と認識するネットワークエリア間の帯域情報を、変化後の回線使用状態にもとづいて計算しなおし、帯域変更情報送信処理部３−５及びデータベースＩ／Ｏ処理部３−４を介して音声通信帯域情報データベース３−３を更新する。
そして、その更新情報を通話接続サーバ１に通知するために、帯域変更情報送信処理部３−５に対して該当帯域更新情報の通話接続サーバ１への送信を指示する。
【００３３】
装置間回線使用状態管理部３−６からの指示を受けた帯域変更情報送信処理部３−５は、指定されたエリア間の更新された音声通信帯域情報を音声通信帯域情報データベース３−３から、データベースＩ／Ｏ処理部３−４を介して読み出し、ネットワークインタフェース部３−７を経由して通話接続サーバ１に帯域更新情報を送信する。
このとき、ネットワークインタフェース部３−７は、帯域変更情報送信処理部３−５からの帯域更新情報をデータパケット化して、通話接続サーバ１に送信するために、ネットワーク回線へデータパケットの出力を行う。
【００３４】
以上説明したように、本実施形態の音声通信帯域管理システムによれば、通話接続サーバにネットワークエリア間で使用可能な音声用帯域を予め設定してあり、使用回線の切り替えによりネットワークエリア間帯域が動的に変化するネットワークの場合でも、ネットワーク装置から変化後の音声用帯域情報を通話接続サーバに通知することによって、更新された帯域情報に基づき正常通話が保証される呼量の範囲内に限って音声通信接続を許可するという適切な音声通信呼量の管理を実現することが可能となる。
【００３５】
上記の実施形態における帯域情報の受信や、接続可否の判定等は、音声通信帯域管理プログラムにより実行される。
この音声通信帯域管理プログラムにもとづいて、通信接続サーバやネットワーク装置のＣＰＵは、コンピュータの各構成要素に指令を送り、所定の処理、例えば、帯域情報の受信処理や、接続可否の判定処理等を行わせる。
これによって、これらの処理は、音声通信帯域管理プログラムとコンピュータとが協働した通信接続サーバなどにより実現される。
【００３６】
なお、音声通信帯域管理プログラムは、コンピュータのＲＯＭやハードディスクに記憶させる他、コンピュータ読み取り可能な記録媒体、たとえば、外部記憶装置及び可搬記録媒体等に格納することができる。
外部記憶装置とは、磁気ディスク等の記録媒体を内蔵し、例えば通信接続サーバなどに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００３７】
そして、記録媒体に記録されたプログラムは、コンピュータのＲＡＭにロードされて、ＣＰＵにより実行される。この実行により、上述した本実施形態の通信接続サーバ等の機能が実現される。
さらに、コンピュータで音声通信帯域管理プログラムをロードする場合、他のコンピュータで保有された音声通信帯域管理プログラムを、通信回線を利用して自己の有するＲＡＭや外部記憶装置にダウンロードすることもできる。
このダウンロードされた音声通信帯域管理プログラムも、ＣＰＵにより実行され、本実施形態の帯域情報の受信処理や、接続可否の判定処理等を実現する。
【００３８】
なお、本発明は以上の実施形態に限定されるものではなく、本発明の範囲内において、種々の変更実施が可能であることは言うまでもない。
例えば、通信接続サーバやネットワーク装置における音声通信帯域管理部の各構成を、より詳細な機能ごとに分割したり、あるいは併合したりするなど適宜変更することが可能である。
【００３９】
【発明の効果】
以上のように、本発明によれば、通話接続サーバにネットワークエリア間で使用可能な音声用帯域を予め設定してあり、使用回線の切り替えによりネットワークエリア間帯域が動的に変化するネットワークの場合でも、ネットワーク装置から変化後の音声用帯域情報を通話接続サーバに通知することによって、更新された帯域情報に基づき正常通話が保証される呼量の範囲内に限って音声通信接続を許可するという、適切な音声通信呼量の管理を実現することが可能となる。
【００４０】
また、音声通信帯域管理プログラムにもとづいて、通信接続サーバやネットワーク装置のＣＰＵは、コンピュータの各構成要素へ所定の指令を送ることにより、この帯域情報の受信機能や、接続可否の判定機能等を実現させることができる。
これによって、これらの機能等は、音声通信帯域管理プログラムとコンピュータとが協働した通信接続サーバ等により実現可能である。
【図面の簡単な説明】
【図１】本発明の実施形態の音声通信帯域管理システムの構成を示すブロック図である。
【図２】本発明の実施形態の音声通信帯域管理システムにおける通話接続サーバの音声通信帯域管理部の構成を示すブロック図である。
【図３】本発明の実施形態の音声通信帯域管理システムにおけるネットワーク装置の音声通信帯域管理部の構成を示すブロック図である。
【符号の説明】
１  通信接続サーバ
１−１  音声通信帯域管理部
１−２  設定記憶手段
１−３  エリア間帯域情報データベース
１−４  データベースＩ／Ｏ処理部
１−５  帯域情報受信処理部
１−６  接続可否判定処理部
１−７  ネットワークインタフェース部
２，３，４  ネットワーク装置
３−１  音声通信帯域管理部
３−２  設定記憶手段
３−３  音声通信帯域情報データベース
３−４  データベースＩ／Ｏ処理部
３−５  帯域変更情報送信処理部
３−６  装置間回線使用状態管理部
３−７  ネットワークインタフェース部
５，６，７，８  回線
９，１０，１１，１２  端末
１３，１４  エリア
【図１】
2005006062.tif 000003
【図２】
2005006062.tif 000004
【図３】
2005006062.tif 000005